(57)【要約】      （修正有）【課題】卵子採取操作における対象者への苦痛を緩和し、かつ、採取者の採取操作をより容易なものとすることができる卵子採取針を提供する。【解決手段】卵子採取針１は、所定長延びる中空本体部２２と、本体部２２より先端側に延びるとともに本体部２２の長さより短くかつ小径の中空小径先端部２１とを有する中空針２と、中空針２の本体部２２の基端部に固定されたハブ３４とを備える。さらに、中空小径先端部２１の先端に、穿刺用刃面２３と刃面２３に向かって湾曲した湾曲側部からなる刃先部を備え、中空小径先端部２１には、低摩擦性物質が被覆されており、そして、ハブ３４は、刃面２３の向きと関連したマーカー３８を備えている。【選択図】図１
0003149897.tif 000002
【実用新案登録請求の範囲】
【請求項１】
経皮的に卵胞より卵子を採取するための卵子採取針であって、該卵子採取針は、所定長延びる中空本体部と、該本体部より先端側に延びるとともに該本体部の長さより短くかつ小径の中空小径先端部とを有する中空針と、該中空針の前記本体部の基端部に固定されたハブとを備え、さらに、前記中空小径先端部の先端に形成された穿刺用刃面を有する刃先部を備え、前記中空小径先端部には、低摩擦性物質が被覆されており、そして、前記ハブは、前記穿刺用刃面の向きと関連したマーカーを備えていることを特徴とする卵子採取針。
【請求項２】
前記刃面は、前記ハブの前記マーカーの位置から前記中空針の周方向にほぼ９０°ずれている請求項１に記載の卵子採取針。
【請求項３】
前記ハブが右側に、前記刃先部が左側に位置し、かつ前記マーカーが上方を向く状態に前記卵子採取針を保持したとき、前記刃面がほぼ正面を向くものとなっている請求項１または２に記載の卵子採取針。
【請求項４】
前記刃先部は、前記穿刺用刃面に向かって湾曲した湾曲側部を備える請求項１ないし３のいずれかに記載の卵子採取針。
【請求項５】
前記刃面は、前記中空針の中心軸方向に斜めに延び、かつ、該刃面の先端は、前記中空針の中心軸に到達しないものとなっている請求項４に記載の卵子採取針。
【請求項６】
前記中空針は、前記中空本体部と前記中空小径先端部との間に位置するテーパー部を備え、前記低摩擦性物質は、前記テーパー部および前記中空本体部には被覆されていない請求項１ないし５のいずれかに記載の卵子採取針。
【請求項７】
前記中空小径先端部は、前記中空本体部より肉薄となっている請求項１ないし６のいずれかに記載の卵子採取針。
【請求項８】
経皮的に卵胞より卵子を採取するための卵子採取針であって、該卵子採取針は、所定長延びる中空本体部と、該本体部より先端側に延びるとともに該本体部の長さより短くかつ小径の中空小径先端部とを有する中空針と、該中空針の前記本体部の基端部に固定されたハブとを備え、さらに、前記中空小径先端部の先端に、穿刺用刃面と該刃面に向かって湾曲した湾曲側部からなる刃先部を備え、前記刃面は、前記中空針の中心軸方向に斜めに延び、かつ、該刃面の先端は、前記中空針の中心軸に到達しないものであり、さらに、前記中空針は、前記中空本体部と前記中空小径先端部との間に位置するテーパー部を備え、前記中空小径先端部は、前記中空本体部より肉薄となっており、かつ、前記中空小径先端部には、低摩擦性物質が被覆されており、そして、前記ハブは、前記刃面の向きと関連したマーカーを備えていることを特徴とする卵子採取針。
【請求項９】
経皮的に卵胞より卵子を採取するための卵子採取針であって、該卵子採取針は、所定長延びる中空本体部と、該本体部より先端側に延びるとともに該本体部の長さより短くかつ小径の中空小径先端部とを有する中空針と、該中空針の前記本体部の基端部に固定されたハブとを備え、さらに、前記中空小径先端部の先端に、穿刺用刃面と該刃面に向かって湾曲した湾曲側部からなる刃先部を備え、前記刃面は、前記中空針の中心軸方向に斜めに延びるものであり、さらに、前記中空針は、前記中空本体部と前記中空小径先端部との間に位置するテーパー部を備え、かつ、前記中空小径先端部には、低摩擦性物質が被覆され、そして、前記ハブは、マーカーを備え、前記ハブが右側に、前記刃先部が左側に位置し、かつ前記マーカーが上方を向く状態に前記卵子採取針を保持したとき、前記刃面がほぼ正面を向くものとなっていることを特徴とする卵子採取針。
【請求項１０】
経皮的に卵胞より卵子を採取するための卵子採取針であって、該卵子採取針は、所定長延びる中空本体部と、該本体部より先端側に延びるとともに該本体部の長さより短くかつ小径の中空小径先端部とを有する中空針と、該中空針の前記本体部の基端部に固定されたハブとを備え、さらに、前記中空小径先端部の先端に、穿刺用刃面と該刃面に向かって湾曲した湾曲側部からなる刃先部を備え、前記刃面は、前記中空針の中心軸方向に斜めに延び、かつ、該刃面の先端は、前記中空針の中心軸に到達しないものであり、さらに、前記中空針は、前記中空本体部と前記中空小径先端部との間に位置するテーパー部を備え、前記中空小径先端部は、前記中空本体部より肉薄となっており、かつ、前記中空小径先端部には、低摩擦性物質が被覆され、前記テーパー部および前記中空本体部には前記低摩擦性物質が被覆されていないものとなっており、そして、前記ハブは、マーカーを備え、前記ハブが右側に、前記刃先部が左側に位置し、かつ前記マーカーが上方を向く状態に前記卵子採取針を保持したとき、前記刃面がほぼ正面を向くものとなっていることを特徴とする卵子採取針。
【請求項１１】
経皮的に卵胞より卵子を採取するための卵子採取針であって、該卵子採取針は、所定長延びる中空本体部と、該本体部より先端側に延びるとともに該本体部の長さより短くかつ小径の中空小径先端部とを有する中空針と、該中空針の前記本体部の基端部に固定されたハブとを備え、さらに、前記中空小径先端部の先端に刃先部を備え、さらに、前記中空針は、前記中空本体部と前記中空小径先端部との間に位置するテーパー部を備え、前記中空小径先端部は、前記中空本体部より肉薄となっており、かつ、前記中空小径先端部には、低摩擦性物質が被覆され、前記テーパー部および前記中空本体部には前記低摩擦性物質が被覆されていないものとなっており、そして、前記ハブは、マーカーを備え、前記ハブが右側に、前記刃先部が左側に位置し、かつ前記マーカーが上方を向く状態に前記卵子採取針を保持したとき、前記刃面がほぼ正面を向くものとなっていることを特徴とする卵子採取針。
【請求項１２】
前記低摩擦性物質は、シリコーンオイルもしくはシリコーン樹脂である請求項１ないし１１のいずれかに記載の卵子採取針。
【請求項１３】
前記卵子採取針は、前記中空針の基端部内部と連通するチューブ部材を備える請求項１ないし１２のいずれかに記載の卵子採取針。
【請求項１４】
前記卵子採取針は、前記チューブ部材の基端部に固定された吸引手段接続部を備える請求項１３に記載の卵子採取針。
【考案の詳細な説明】
【技術分野】
【０００１】
本考案は、腹腔鏡下において経皮的に卵子を採取するための卵子採取針に関する。
【背景技術】
【０００２】
従来より、腹腔鏡下において経皮的に卵子を採取するための卵子採取針が使用されている。卵子採取針として、特開２００６−０５５２１９号公報（特許文献１）に開示される卵子採取用器具を本願考案者が提案している。この卵子採取用器具は、外套管と、採卵針とからなり、前記外套管は、先端に刃面を持たない中空管と、該中空管内に抜去可能かつ前記中空管の先端より所定長突出するように挿入された穿刺針と、前記中空管の外面に移動可能に設けられた皮膚への係止用部材とを備え、前記採卵針は、先端に刃面を備え、前記中空管内に挿入および抜去可能かつ該中空管の先端より所定長突出可能である中空針と、該中空針の基端部内部と連通するチューブ部材と、該チューブ部材の基端部に固定された吸引手段接続部とを備えている。よって、採卵針操作中における皮膚組織により採卵針に与えられる抵抗がないため、採卵針の操作が容易であり、卵子を経皮的に容易に採取することができる。
【先行技術文献】
【特許文献】
【０００３】
【特許文献１】特開２００６−０５５２１９号公報
【考案の概要】
【考案が解決しようとする課題】
【０００４】
特許文献１の卵子採取用器具では、上述したように採卵針の操作が容易であり、卵子を経皮的に容易に採取することが可能である。しかし、卵子採取操作における対象者への苦痛の緩和、および採取操作の容易化がより求められている。
そこで、本考案の目的は、卵子採取操作における対象者への苦痛を緩和し、かつ、採取者の採取操作をより容易なものとすることができる卵子採取針を提供するものである。
【課題を解決するための手段】
【０００５】
上記目的を達成するものは、下記のものである。
（１）  経皮的に卵胞より卵子を採取するための卵子採取針であって、該卵子採取針は、所定長延びる中空本体部と、該本体部より先端側に延びるとともに該本体部の長さより短くかつ小径の中空小径先端部とを有する中空針と、該中空針の前記本体部の基端部に固定されたハブとを備え、さらに、前記中空小径先端部の先端に形成された穿刺用刃面を有する刃先部を備え、前記中空小径先端部には、低摩擦性物質が被覆されており、そして、前記ハブは、前記穿刺用刃面の向きと関連したマーカーを備えている卵子採取針。
（２）  前記刃面は、前記ハブの前記マーカーの位置から前記中空針の周方向にほぼ９０°ずれている上記（１）に記載の卵子採取針。
（３）  前記ハブが右側に、前記刃先部が左側に位置し、かつ前記マーカーが上方を向く状態に前記卵子採取針を保持したとき、前記刃面がほぼ正面を向くものとなっている上記（１）または（２）に記載の卵子採取針。
（４）  前記刃先部は、前記穿刺用刃面に向かって湾曲した湾曲側部を備える上記（１）ないし（３）のいずれかに記載の卵子採取針。
（５）  前記刃面は、前記中空針の中心軸方向に斜めに延び、かつ、該刃面の先端は、前記中空針の中心軸に到達しないものとなっている上記（４）に記載の卵子採取針。
（６）  前記中空針は、前記中空本体部と前記中空小径先端部との間に位置するテーパー部を備え、前記低摩擦性物質は、前記テーパー部および前記中空本体部には被覆されていない上記（１）ないし（５）のいずれかに記載の卵子採取針。
（７）  前記中空小径先端部は、前記中空本体部より肉薄となっている上記（１）ないし（６）のいずれかに記載の卵子採取針。
【０００６】
（８）  経皮的に卵胞より卵子を採取するための卵子採取針であって、該卵子採取針は、所定長延びる中空本体部と、該本体部より先端側に延びるとともに該本体部の長さより短くかつ小径の中空小径先端部とを有する中空針と、該中空針の前記本体部の基端部に固定されたハブとを備え、さらに、前記中空小径先端部の先端に、穿刺用刃面と該刃面に向かって湾曲した湾曲側部からなる刃先部を備え、前記刃面は、前記中空針の中心軸方向に斜めに延び、かつ、該刃面の先端は、前記中空針の中心軸に到達しないものであり、さらに、前記中空針は、前記中空本体部と前記中空小径先端部との間に位置するテーパー部を備え、前記中空小径先端部は、前記中空本体部より肉薄となっており、かつ、前記中空小径先端部には、低摩擦性物質が被覆されており、そして、前記ハブは、前記刃面の向きと関連したマーカーを備えている卵子採取針。
（９）  経皮的に卵胞より卵子を採取するための卵子採取針であって、該卵子採取針は、所定長延びる中空本体部と、該本体部より先端側に延びるとともに該本体部の長さより短くかつ小径の中空小径先端部とを有する中空針と、該中空針の前記本体部の基端部に固定されたハブとを備え、さらに、前記中空小径先端部の先端に、穿刺用刃面と該刃面に向かって湾曲した湾曲側部からなる刃先部を備え、前記刃面は、前記中空針の中心軸方向に斜めに延びるものであり、さらに、前記中空針は、前記中空本体部と前記中空小径先端部との間に位置するテーパー部を備え、かつ、前記中空小径先端部には、低摩擦性物質が被覆され、そして、前記ハブは、マーカーを備え、前記ハブが右側に、前記刃先部が左側に位置し、かつ前記マーカーが上方を向く状態に前記卵子採取針を保持したとき、前記刃面がほぼ正面を向くものとなっている卵子採取針。
（１０）  経皮的に卵胞より卵子を採取するための卵子採取針であって、該卵子採取針は、所定長延びる中空本体部と、該本体部より先端側に延びるとともに該本体部の長さより短くかつ小径の中空小径先端部とを有する中空針と、該中空針の前記本体部の基端部に固定されたハブとを備え、さらに、前記中空小径先端部の先端に、穿刺用刃面と該刃面に向かって湾曲した湾曲側部からなる刃先部を備え、前記刃面は、前記中空針の中心軸方向に斜めに延び、かつ、該刃面の先端は、前記中空針の中心軸に到達しないものであり、さらに、前記中空針は、前記中空本体部と前記中空小径先端部との間に位置するテーパー部を備え、前記中空小径先端部は、前記中空本体部より肉薄となっており、かつ、前記中空小径先端部には、低摩擦性物質が被覆され、前記テーパー部および前記中空本体部には前記低摩擦性物質が被覆されていないものとなっており、そして、前記ハブは、マーカーを備え、前記ハブが右側に、前記刃先部が左側に位置し、かつ前記マーカーが上方を向く状態に前記卵子採取針を保持したとき、前記刃面がほぼ正面を向くものとなっている卵子採取針。
（１１）  経皮的に卵胞より卵子を採取するための卵子採取針であって、該卵子採取針は、所定長延びる中空本体部と、該本体部より先端側に延びるとともに該本体部の長さより短くかつ小径の中空小径先端部とを有する中空針と、該中空針の前記本体部の基端部に固定されたハブとを備え、さらに、前記中空小径先端部の先端に刃先部を備え、さらに、前記中空針は、前記中空本体部と前記中空小径先端部との間に位置するテーパー部を備え、前記中空小径先端部は、前記中空本体部より肉薄となっており、かつ、前記中空小径先端部には、低摩擦性物質が被覆され、前記テーパー部および前記中空本体部には前記低摩擦性物質が被覆されていないものとなっており、そして、前記ハブは、マーカーを備え、前記ハブが右側に、前記刃先部が左側に位置し、かつ前記マーカーが上方を向く状態に前記卵子採取針を保持したとき、前記刃面がほぼ正面を向くものとなっている卵子採取針。
（１２）  前記低摩擦性物質は、シリコーンオイルもしくはシリコーン樹脂である上記（１）ないし（１１）のいずれかに記載の卵子採取針。
（１３）  前記卵子採取針は、前記中空針の基端部内部と連通するチューブ部材を備える上記（１）ないし（１２）のいずれかに記載の卵子採取針。
（１４）  前記卵子採取針は、前記チューブ部材の基端部に固定された吸引手段接続部を備える上記（１３）に記載の卵子採取針。
【考案の効果】
【０００７】
本考案の卵子採取針によれば、所定長延びる中空本体部と、本体部より先端側に延びるとともに本体部の長さより短くかつ小径の中空小径先端部とを有する中空針と、中空針の本体部の基端部に固定されたハブとを備え、さらに中空小径先端部には、低摩擦性物質が被覆されており、そして、ハブは、穿刺用刃面の向きと関連したマーカーを備えている。
特に、採取対象者に刺入される部分である中空針の先端部は、中空小径先端部となっており、かつ、低摩擦性物質が被覆されていることより、卵子採取操作時における対象者への苦痛を緩和するとともに、採取操作時の刺入抵抗も小さいものとなり、採取操作を容易とする。さらに、ハブは、穿刺用刃面の向きと関連したマーカーを備えていることより、刃面の向きの確認が容易であるとともに、刃先部内への卵子の採取を容易なものとしている。
そして、刃面がハブのマーカーの位置から中空針の周方向にほぼ９０°ずれているものであれば、より刃面の向きの確認が容易となる。
また、ハブが右側に、刃先部が左側に位置し、かつマーカーが上方を向く状態に卵子採取針を保持したとき、前記刃面がほぼ正面を向くものとなっていれば、右利きの採取者の採取操作をより容易なものとする。
また、刃先部が、穿刺用刃面に向かって湾曲した湾曲側部を備えるものであれば、卵子採取がより容易となる。
また、刃面が中空針の中心軸方向に斜めに延び、かつ、刃面の先端は、中空針の中心軸に到達しないものとなっているものであれば、刃面は、中空針に平行に近いものとなり、かつ、十分な開口面積を有するものとなり、卵子の採取操作をより容易なものとする。
また、中空針は、中空本体部と中空小径先端部との間に位置するテーパー部を備え、低摩擦性物質は、テーパー部および中空本体部には被覆されていないものであれば、テーパー部の採取対象者への刺入抵抗が中空小径先端部の刺入抵抗に比べて十分高いものとなるので、テーパー部の刺入を防止することができる。
また、中空小径先端部は、中空本体部より肉薄となっているものであれば、より刺入抵抗が小さいものとなる。
そして、卵子採取針が、中空針の基端部内部と連通するチューブ部材を備えるものであれば、卵子採取作業をより容易なものとする。
また、卵子採取針は、チューブ部材の基端部に固定された吸引手段接続部を備えるものであれば、卵子採取作業をより容易なものとする。
【図面の簡単な説明】
【０００８】
【図１】図１は、本考案の卵子採取針の一実施例の部分省略正面図である。
【図２】図２は、図１に示した卵子採取針の部分省略外観図である。
【図３】図３は、図２に示した卵子採取針の部分省略の拡大断面図である。
【図４】図４は、図２に示した卵子採取針の中空針の先端部の拡大断面図である。
【図５】図５は、本考案の他の実施例の卵子採取針の中空針の先端部の拡大断面図である。
【図６】図６は、図１に示した卵子採取針の部分拡大図である。
【図７】図７は、本考案の他の実施例の卵子採取針の部分省略外観図である。
【図８】図８は、図７に示した卵子採取針の部分省略の拡大断面図である。
【考案を実施するための形態】
【０００９】
本考案の卵子採取針を図面に示した実施例を用いて説明する。
卵子採取針１は、経皮的に卵胞より卵子を採取するための卵子採取針である。卵子採取針１は、所定長延びる中空本体部２２と、本体部２２より先端側に延びるとともに本体部２２の長さより短くかつ小径の中空小径先端部２１とを有する中空針２と、中空針２の本体部２２の基端部に固定されたハブ３４とを備える。さらに、中空小径先端部２１の先端に、穿刺用刃面２３と刃面２３に向かって湾曲した湾曲側部５４からなる刃先部２４を備え、中空小径先端部２１には、低摩擦性物質が被覆されており、そして、ハブ３４は、刃面２３の向きと関連したマーカー３８を備えている。
【００１０】
本考案の卵子採取針１は、図１および図２に示すように、中空針２と中空針２の基端部に固定されたハブ３４と、チューブ部材３２を有する吸引手段接続部３３とからなっている。図２は、図１に示した中空針２とハブ３４の組立体を９０度回転させた状態を示す外観図となっている。
中空針２は、所定長延びる中空本体部２２と、本体部２２より先端側に延びる先端部２１とを有する。先端部２１は、本体部２２の長さより短く、本体部２２の径よりも小径となるように形成されている。具体的には、図４に示すように、先端部２１は、本体部２２よりも肉薄となることで小径となるように形成されている。また、先端部２１は、中空状に形成されている。これにより、中空針２は、図３および図４に示すように、先端部２１の先端から本体部２２の基端までが貫通した内腔を有するものとなっている。
中空本体部２２の長さは、２０〜３０ｃｍ程度、外径は、０．９０〜１．５０ｍｍ程度、内径は、０．６０〜１．２０ｍｍが好適である。また、先端部２１の長さとしては、３〜１０ｃｍ程度、外径は、０．５０〜１．００ｍｍ程度、内径は、０．３〜０．８ｍｍ程度が好適である。採取対象者に刺入される部分である中空針２に先端部２１を備えることで、卵子採取操作時における対象者への苦痛を緩和するとともに、採取操作時の刺入抵抗も小さいものとなり、採取操作を容易とすることができる。また、中空小径先端部２１が、中空本体部２２より肉薄となっているものであれば、より刺入抵抗が小さいものとすることができる。
【００１１】
また、図１ないし図６に示すように、本体部２２と先端部２１との間には、テーパー部２５が形成されていることが好ましい。テーパー部２５を備えることにより、テーパー部２５の採取対象者への刺入抵抗が中空小径先端部２１の刺入抵抗に比べて十分高いものとなるので、テーパー部２５の刺入を防止することができる。
【００１２】
先端部２１の先端には、図４に示すように、穿刺用刃面２３と、刃面２３によって鋭角となるように形成された刃先部２４が形成されている。刃面２３は、中空針２の中心軸方向に斜めに延びている。刃先部２４は、刃面２３に向かって湾曲した湾曲側部５４を備えている。湾曲側部５４を備えることにより、刃先部２４は、先端部２１の側面延長線上から若干中心軸側に位置することになる。湾曲側部５４を備えることにより、刃面２４は、中空針２に平行に近いものとなり、かつ、十分な開口面積を有するものとなり、卵子の採取操作を容易なものとすることができる。なお、刃先部２４としては、図４に示し上述したものが好ましいが、図５に示す中空針２ａのように、小径となっている先端部２１を斜めに切断した形態であり、湾曲側部をもたない通常の刃先部であってもよい。
【００１３】
中空針２の形成材料としては、金属管、硬質合成樹脂管が用いられる。金属としては、ステンレス鋼が好適である。硬質合成樹脂としては、ＰＴＦＥ、ＥＴＦＥなどのフッ素樹脂が好ましい。また、先端部２１の外面には、低摩擦性物質が被覆されていることが好ましい。そして、テーパー部２５および本体部２２には、低摩擦性物質が被覆されていないことが好ましい。また、低摩擦性物質は、シリコーンオイルもしくはシリコーン樹脂であることが好ましい。シリコーンオイルとしては、シリコーン油基準（II：薬機第３２７号厚生省薬務局医療）又はこれと同等以上の外国の基準に適合するものが好適に用いられる。また、シリコーン樹脂としては、ジメチルポリシロキサンなどを主成分とするシリコーン溶液の固化物が好適である。また、低摩擦性物質としては、フッ素系樹脂、例えば、ＰＴＦＥ（ポリテトラフルオロエチレン）、ＥＴＦＥ（エチレンテトラフルオロエチレン）などを用いてもよい。
採取対象者に刺入される部分である中空針の先端部に、低摩擦性物質が被覆されていることで、卵子採取操作時における対象者への苦痛を緩和するとともに、採取操作時の刺入抵抗も小さいものとなり、採取操作を容易とすることができる。また、テーパー部２５および中空本体部２２には、低摩擦性物質を被覆しないことで、テーパー部２５の採取対象者への刺入抵抗が中空小径先端部２１の刺入抵抗に比べて十分高いものとなるので、テーパー部２５の刺入を防止することができる。
中空針２の本体部２２の基端部には、被覆チューブ３５が被嵌され、被覆チューブ３５を介して、ハブ３４が固定されている。ハブ３４の外周には、図１，図２，図６に示すように、刃面２３の向きと関連したマーカー３８が形成されている。この実施例のマーカー３８は、ハブ３４の先端から基端にかけて直線状に形成された突起部となっている。また、マーカー３８は、中空針２の中心軸に平行に延びるものとなっている。そして、図１，図２，図６に示すように、刃面２３は、マーカー３８の位置から中空針２の周方向に所定角度ずれて形成されている。具体的には、マーカー３８の位置から中空針２の周方向にほぼ９０°ずれて形成されている。言いかえると、マーカー３８は、刃面２３の位置からハブ３４の周方向に所定角度ずれて形成されている。具体的には、刃面２３の位置からハブ３４の周方向にほぼ９０°ずれて形成されていることになる。マーカー３８を備えることにより、刃面２３の向きの確認を容易に行うことができる。さらに、刃面２３がハブ３４のマーカー３８の位置から中空針２の周方向にほぼ９０°ずれているものであれば、より刃面２３の向きの確認が容易にできる。
【００１４】
そして、この実施例の卵子採取針１は、図１および図６に示すように、ハブ３４が右側に、刃先部２４が左側に位置し、かつマーカー３８が上方を向く状態に卵子採取針１を保持したとき、刃面２３がほぼ正面を向くものとなっている。これにより、卵子採取針１の操作時においてハブ３４（マーカー３８）を保持することで、刃面２３の向きが卵子採取者の正面を向いた状態となり、採卵作業中の刃面の向きの認識が容易となり、それを認識することにより、卵子採取針１の操作が容易となる。特に、右利きの採取者の採取操作をより容易なものとすることができる。この実施例のマーカー３８は、ハブ３４の先端から基端にかけて直線状に形成された突起部となっているが、これに限らず、刃面２３の向きを確認できるものであればどのようなものでもよい。
【００１５】
中空針２の基端は、図３に示すように、ハブ３４の基端より突出しており、その突出部に、チューブ部材３２が取り付けられている。また、チューブ部材３２の先端部には、中空針２の基端が位置する部分の前後を被包するように保護チューブ３６が被嵌されている。これにより、チューブ部材３２の中空針２の基端でのキンクを防止している。
チューブ部材３２は、先端から基端までほぼ同一外径およびほぼ同一内径を有する可撓性を有するチューブ体である。チューブ部材、被覆チューブおよび保護チューブの形成材料としては、ある程度の可撓性とある程度のコシを有するものが好ましく、ポリオレフィン（例えば、ポリエチレン、ポリプロピレン、エチレン−プロピレンコポリマー）、ポリアミド（例えば、６ナイロン、６６ナイロン）、ポリエステル（例えば、ポリエチレンテレフタレート）、フッ素樹脂（例えば、ＰＴＦＥ、ＥＴＦＥ）、ウレタンゴム、シリコーンゴム、ブタジエンゴムなどの合成ゴム、ラテックスゴムなどの天然ゴム、ポリオレフィン系エラストマー、ポリアミド系エラストマー、スチレン系エラストマー（例えば、スチレン−ブタジエン−スチレンコポリマー、スチレン−イソプレン−スチレンコポリマー、スチレン−エチレンブチレン−スチレンコポリマー）などのエラストマー、ポリウレタン、特に、熱可塑性ポリウレタン（熱可塑性ポリエーテルポリウレタン、熱可塑性ポリエステルポリウレタン、特に、好ましくは、ソフトセグメント部分とハードセグメント部分を有するセグメント化熱可塑性ポリエーテルポリウレタン、より具体的には、ソフトセグメントの主成分としては、ポリテトラメチレンエーテルグリコール、ポリエチレングリコール、ポリプロピレングリコールなどが好ましく、ハードセグメントの主成分としては、１，４−ブタンジオールなどが好ましい）等が使用できる。好ましくは、フッ素樹脂（例えば、ＰＴＦＥ、ＥＴＦＥ）である。
チューブ部材３２は、長さが、１００〜７００ｍｍ、好ましくは、１５０〜２５０ｍｍである。また、外径は、１．０〜２．０ｍｍ、好ましくは、１．４６〜１．７９ｍｍである。また、内径は、０．７〜１．５ｍｍ、好ましくは、０．８６〜１．１９ｍｍである。チューブ部材３２を備えるものであれば、卵子採取作業をより容易なものとすることができる。
【００１６】
そして、図１ないし図３に示すように、チューブ部材３２の基端部には、吸引手段接続部３３が固定されている。この吸引手段接続部３３の基端部の内面形状は、シリンジのチップ部と接続可能なものとなっている。吸引手段接続部３３を備えるものであれば、卵子採取作業をより容易なものとすることができる。さらに、この実施例の卵子採取針１では、吸引手段接続部３３から所定長チューブ部材の先端側に延びる補強用部材３７を備えている。この補強用部材３７を備えることにより、吸引手段との接続作業ならび吸引作業が容易なものとなる。補強用部材３７としては、一端が吸引手段接続部３３内に位置し、他端がチューブ部材３２の基端部内に延びる管状体が好ましい。また、一端が吸引手段接続部３３の外面に固定され、他端がチューブ部材３２の基端部外面上を延びる管状体であってもよい。管状体としては、硬質管状体もしくはコイルスプリングが好ましい。管状体の形成材料としては、金属、合成樹脂などが使用できる。
【００１７】
また、卵子採取針は、図７に示すようなものであってもよい。
図７は、本考案の他の実施例の卵子採取針の部分省略平面図である。図８は、図７に示した卵子採取針の部分省略の拡大断面図である。
この卵子採取針１０と、上述した卵子採取針１との相違は、中空針の刃先部と吸引手段接続部の形態のみである。この実施例の卵子採取針１０では、中空針２０の先端部２１の先端に、穿刺用刃面２３と、刃面２３によって鋭角となるように形成された刃先部２４が形成されている。刃面２３は、中空針２０の中心軸方向に斜めに延びている。そして、刃先部２４は、中空針２の中心軸に到達しないものとなっている。具体的にこの実施例の刃先部２４は、刃面２３に向かって湾曲した湾曲側部５４を備えないものとなっている。そして、刃面２３は、中空針２０の中心軸に平行に近いものとなり、かつ、十分な開口面積を有するものとなり、卵子の採取操作を容易なものとすることができる。
【００１８】
吸引手段接続部４４は、採取用器具の開口部に取り付けるための栓体４５と、この栓体４５に取り付けられた吸引手段取付部４６を備えている。そして、一端が中空針２０の基端に取り付けられたチューブ部材３２の他端は、栓体４５を貫通している。そして、チューブ部材３２の他端は、拡径部となっている。そして、図８に示すように、チューブ部材３２の基端部には、チューブ部材３２の基端付近から栓体を貫通し、所定長チューブ部材の先端側に延びるチューブ補強用部材４８を備えている。補強用部材４８としては、チューブ部材３２内を延びる管状体が好ましい。また、補強用部材４８は、チューブ部材３２の基端部外面上を延びる管状体であってもよい。管状体としては、硬質管状体もしくはコイルスプリングが好ましい。管状体の形成材料としては、金属、合成樹脂などが使用できる。
【００１９】
また、吸引手段取付部４６は、取付部本体とこの本体より伸び、栓体４５を貫通するシャフト部４７を備えている。シャフト部４７は、屈曲している。取付部本体の基端部の内面形状は、吸引装置（図示せず）のコネクタと接続可能なものとなっている。
栓体４５の形成材料としては、ウレタンゴム、シリコーンゴム、ブタジエンゴムなどの合成ゴム、ラテックスゴムなどの天然ゴム、ポリオレフィン系エラストマー、ポリアミド系エラストマー、スチレン系エラストマー（例えば、スチレン−ブタジエン−スチレンコポリマー、スチレン−イソプレン−スチレンコポリマー、スチレン−エチレンブチレン−スチレンコポリマー）などのエラストマー、ポリウレタン等が使用できる。吸引手段接続部４４を備えるものであれば、卵子採取作業をより容易なものとすることができる。
【符号の説明】
【００２０】
１，１０  卵子採取針
２，２０  中空針
２１  先端部
２３  刃面
２４  刃先部
３２  チューブ部材
３３  吸引手段接続部
３４  ハブ
３８  マーカー
【図１】
0003149897.tif 000003
【図２】
0003149897.tif 000004
【図３】
0003149897.tif 000005
【図４】
0003149897.tif 000006
【図５】
0003149897.tif 000007
【図６】
0003149897.tif 000008
【図７】
0003149897.tif 000009
【図８】
0003149897.tif 000010